(57)【特許請求の範囲】
【請求項１】
複数の通信回線を介して画像情報を送信可能な通信手段と、
複数の送信先のそれぞれについて、前記複数の通信回線を介してそれぞれ通信する際に使用する複数の送信先情報をそれぞれ対応させて記憶するとともに、送信する画像情報を記憶する記憶手段と、
使用者が前記複数の通信回線から送信する通信回線を選択するための第１選択手段と、
使用者が前記複数の送信先から送信先を選択するための第２選択手段とを備え、
前記第１選択手段により選択された通信回線と、前記第２選択手段により選択された送信先の送信先情報とを使用して、前記記憶手段に記憶された前記画像情報を送信可能な画像情報伝送装置において、
使用者が上記第１選択手段により通信回線を選択した後、上記第２選択手段により送信先を選択する際、上記第１選択手段で選択された通信回線に対応する送信先情報に応じた選択情報と、上記第１選択手段で選択されない通信回線に対応する送信先情報に応じた選択情報とをそれぞれ異なる表示態様で表示する表示手段を備え、
選択されない通信回線に対応する送信先情報が選択されたときは、選択操作に誤りがある旨の報知または再度選択を促す旨の報知を行うことを特徴とする画像情報伝送装置。
【請求項２】
画像情報を送信する画像情報伝送装置１１と、公衆網交換機と、画像情報伝送装置１１に接続される第１構内交換機４と、第１構内交換機４に接続される他の構内交換機５と、画像情報伝送装置１１と公衆網交換機とを接続する第１公衆回線２ｂと、画像情報伝送装置１１と第１構内交換機４とを接続する第１専用回線４ａと、第１構内交換機４と公衆網交換機とを接続する第２公衆回線２ａと、第１構内交換機４と他の構内交換機５とを接続する第２専用回線１と、他の構内交換機５と公衆網交換機とを接続する第３公衆回線３とを含むシステムに用いられる前記画像情報伝送装置であって、
第１公衆回線２ｂおよび第１専用回線４ａを介して画像情報を送信可能な通信手段と、
複数の送信先ごとの前記第１公衆回線２ｂによる通信に使用する通信番号と、前記通信番号を構成する局番情報のうち前記他の構内交換機５が設置されている地域を示す特別局番情報と、送信する画像情報とをそれぞれ記憶する記憶手段と、
使用者が前記第１公衆回線２ｂまたは前記第１専用回線４ａから送信する通信回線を選択するための第１選択手段と、
使用者が前記複数の送信先から送信先を選択するための第２選択手段とを備え、
上記第１選択手段により第１公衆回線２ｂが選択された場合は、上記第２選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、
上記第１選択手段により第１専用回線４ａが選択された場合は、
上記第２選択手段により選択された送信先の通信番号中の局番情報が前記特別局番情報と一致しないときは、第２公衆回線２ａを使用して公衆網交換機に接続することを示す外線特番を選択された送信先の通信番号の前に付加して、第１専用回線４ａ、第１構内交換機４および第２公衆回線２ａを介して画像情報が送信先に送信されるように指令する送信先情報を作成して、その送信先情報を第１専用回線４ａに送出した後、前記記憶手段に記憶されている画像情報を第１専用回線４ａに送信し、
上記第２選択手段により選択された送信先の通信番号中の局番情報が前記特別局番情報と一致したときは、第２専用回線１を使用することを示す網番号と、一致した特別局番情報に対応する地域に設置されている他の構内交換機５を介して公衆網交換機に接続することを示す中継番号とを、選択された送信先の通信番号の前に付加して、第１専用回線４ａ、第１構内交換機４、第２専用回線１、他の交換機５および第３公衆回線３を介して画像情報が送信先に送信されるように指令する送信先情報を作成して、その送信先情報を第１専用回線４ａに送出した後、前記記憶手段に記憶されている画像情報を第１専用回線４ａに送信することを特徴とする画像情報伝送装置。
【請求項３】
通信料金の異なる複数の通信回線を介して画像情報を送信可能な通信手段と、
複数の送信先のそれぞれについて、前記複数の通信回線を介してそれぞれ通信する際に使用する複数の送信先情報をそれぞれ対応させて記憶するとともに、前記複数の通信回線毎の通信料金情報と、送信する画像情報とをそれぞれ記憶する記憶手段と、
使用者が前記複数の送信先から送信先を選択するための第１選択手段とを備え、
前記第１選択手段により選択された送信先の送信先情報に基づき、前記記憶手段に記憶された画像情報を送信可能な画像情報伝送装置において、
上記第１選択手段で選択された送信先の送信先情報に基づき、上記複数の通信回線毎の通信経路を抽出する通信経路抽出手段と、
上記記憶手段に記憶された上記通信料金情報から前記通信経路抽出手段で抽出された前記通信経路毎の通信料金を算出する通信料金算出手段と、
上記通信料金算出手段により算出された通信経路毎の通信料金を表示する表示手段と、
使用者が前記複数の通信経路から送信する通信経路を選択するための第２選択手段と、
上記第２選択手段で選択された通信経路に基づき、使用する通信回線と通信経路を決定する通信回線決定手段とを備え、
前記通信回線決定手段で決定された通信回線と通信経路、及び上記第１選択手段で選択された送信先情報に基づき、上記記憶手段に記憶されている画像情報を送信可能なことを特徴とする画像情報伝送装置。
【請求項４】
上記通信手段は、専用回線内の構内交換機を介して公衆回線内の送信先に送信可能であり、
上記通信経路抽出手段の抽出する通信経路には、上記第１選択手段で選択された送信先の送信先情報に基づき、専用回線内の構内交換機を介して公衆回線内の送信先へ送信する中継通信の経路を含み、
上記通信料金算出手段は、前記中継通信の通信料金を算出することを特徴とする請求項３記載の画像情報伝送装置。
【請求項５】
画像情報を送信する画像情報伝送装置１１と、公衆網交換機と、画像情報伝送装置１１に接続される第１構内交換機４と、第１構内交換機４に接続される他の構内交換機５と、画像情報伝送装置１１と公衆網交換機とを接続する第１公衆回線２ｂと、画像情報伝送装置１１と第１構内交換機４とを接続する第１専用回線４ａと、第１構内交換機４と公衆網交換機とを接続する第２公衆回線２ａと、第１構内交換機４と他の構内交換機５とを接続する第２専用回線１と、他の構内交換機５と公衆網交換機とを接続する第３公衆回線３とを含むシステムに用いられる前記画像情報伝送装置であって、
第１公衆回線２ｂおよび第１専用回線４ａを介して画像情報を送信可能な通信手段と、
複数の送信先ごとの前記第１公衆回線２ｂによる通信に使用する通信番号と、前記通信番号を構成する局番情報のうち前記他の構内交換機５が設置されている地域を示す特別局番情報と、送信する画像情報とをそれぞれ記憶する記憶手段と、
使用者が前記第１公衆回線２ｂまたは前記第１専用回線４ａから送信する通信回線を選択するための第１選択手段と、
使用者が前記複数の送信先から送信先を選択するための第２選択手段とを備え、
上記第２選択手段により選択された送信先の通信番号中の局番情報が前記特別局番情報と一致しないときは、上記第２選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、
上記第２選択手段により選択された送信先の通信番号中の局番情報が前記特別局番情報と一致したときは、画像情報を送出すべき通信回線を第１選択手段によって使用者に選択させ、
上記第１選択手段により第１公衆回線２ｂが選択された場合は、上記第２選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、
上記第１選択手段により第１専用回線４ａが選択された場合は、第２専用回線１を使用することを示す網番号と、一致した特別局番情報に対応する地域に設置されている他の構内交換機５を介して公衆網交換機に接続することを示す中継番号とを、選択された送信先の通信番号の前に付加して、第１専用回線４ａ、第１構内交換機４、第２専用回線１、他の交換機５および第３公衆回線３を介して画像情報が送信先に送信されるように指令する送信先情報を作成して、その送信先情報を第１専用回線４ａに送出した後、前記記憶手段に記憶されている画像情報を第１専用回線４ａに送信することを特徴とする画像情報伝送装置。
【請求項６】
画像情報を送信する画像情報伝送装置１１と、公衆網交換機と、画像情報伝送装置１１に接続される第１構内交換機４と、第１構内交換機４に接続される他の構内交換機５と、画像情報伝送装置１１と公衆網交換機とを接続する第１公衆回線２ｂと、画像情報伝送装置１１と第１構内交換機４とを接続する第１専用回線４ａと、第１構内交換機４と公衆網交換機とを接続する第２公衆回線２ａと、第１構内交換機４と他の構内交換機５とを接続する第２専用回線１と、他の構内交換機５と公衆網交換機とを接続する第３公衆回線３とを含むシステムに用いられる前記画像情報伝送装置であって、
第１公衆回線２ｂおよび第１専用回線４ａを介して画像情報を送信可能な通信手段と、
複数の送信先ごとの前記第１公衆回線２ｂによる通信に使用する通信番号と、前記通信番号を構成する局番情報のうち前記他の構内交換機５が設置されている地域を示す特別局番情報と、送信する画像情報とをそれぞれ記憶する記憶手段と、
使用者が前記複数の送信先から送信先を選択するための選択手段とを備え、
上記選択手段により選択された送信先の通信番号中の局番情報が前記特別局番情報と一致しないときは、上記選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、
上記選択手段により選択された送信先の通信番号中の局番情報が前記特別局番情報と一致したときは、第２専用回線１を使用することを示す網番号と、一致した特別局番情報に対応する地域に設置されている他の構内交換機５を介して公衆網交換機に接続することを示す中継番号とを、選択された送信先の通信番号の前に付加して、第１専用回線４ａ、第１構内交換機４、第２専用回線１、他の交換機５および第３公衆回線３を介して画像情報が送信先に送信されるように指令する送信先情報を作成して、その送信先情報を第１専用回線４ａに送出した後、前記記憶手段に記憶されている画像情報を第１専用回線４ａに送信することを特徴とする画像情報伝送装置。
【発明の詳細な説明】
【０００１】
【発明の属する技術分野】
本発明は、ファクシミリ装置や、ファクシミリ機能等に代表される画像情報伝送機能を有する情報処理装置に関し、特に、公衆回線と専用回線のように複数の通信回線に接続されたファクシミリ装置に代表される画像情報伝送装置、又はファクシミリ機能に代表される画像情報伝送機能を備えた画像情報伝送装置に関するものである。
【０００２】
【従来の技術】
近年の情報通信技術の進展に伴い、低価格化によりファクシミリ装置に代表される画像情報伝送装置、又は画像情報伝送機能を備えた装置が広く普及してきており、公衆回線を使ったファクシミリ通信だけでなく、専用回線を使ったファクシミリ通信も行なわれている。例えば企業間でのファクシミリ通信では公衆回線を用い、企業内では専用線による部門間でのファクシミリ通信を行うことが多くなってきている。従って、ファクシミリ通信においても、通常の電話器のように、交換機を介して通信を行うためのシステムを構築している場合がある。
【０００３】
図１０は、このような従来の通信システムを示す説明図であり、この例では、簡単のために、Ａ事業所とＢ事業所の２つの事業所間で専用回線１を介して通信を行うことが可能で、また外部の相手先に対しても公衆回線２、３を介して通信可能なことを表わしている。
【０００４】
即ち、本システムでは、Ａ・Ｂ事業所間内のファクシミリ及び電話は、それぞれ各事業所内の構内交換機４、５に接続され、公衆回線２、３を介して公衆網交換機６にも接続されている。
【０００５】
このようなシステムにおいて、Ａ事業所のＦＡＸＡ（ＦＡＸ７）からＢ事業所のＦＡＸＢ（ＦＡＸ８）へファクシミリ通信を行う場合、ユーザは専用回線を使用することを示す網特番とＢ事業所を指定する番号とをＦＡＸＢ（ＦＡＸ８）の内線電話番号の前に付加して構成される通信番号を用いて通信を行う。
【０００６】
例えば、網特番を「８」、Ｂ事業所の番号を「７４１」、ＦＡＸＢ（ＦＡＸ８）の内線番号が「××××」であれば、通信番号は「８−７４１−××××」となる。これにより、ユーザは専用回線を介してＦＡＸＢ（ＦＡＸ８）との通信を行うことができる。
【０００７】
また、Ａ事業所から、公衆回線９に接続されたＦＡＸＣ（ＦＡＸ１０）に送信する場合、ユーザはＦＡＸＣ（ＦＡＸ１０）のファクシミリ番号の前に所定の外線特番を付加して構成される通信番号を用いる。従って例えば、外線特番が「０」、ＦＡＸＣ（ＦＡＸ１０）のファクシミリ番号が「△△−○○○○−××××」であれば、通信番号は「０−△△−○○○○−××××」となる。これにより、ユーザはＡ事業所の構内交換機及び公衆回線を介して、ＦＡＸＣ（ＦＡＸ１０）との通信を行うことができる。
【０００８】
図１０に示す通信システムの場合、Ａ事業所・Ｂ事業所・外部とが、専用回線１、公衆回線２、３等により相互に接続されており、例えばＡ事業所のＦＡＸＡ（ＦＡＸ７）からＢ事業所のＦＡＸＢへ通信する場合であっても、直接専用回線１で通信することもできるし、場合によっては公衆回線２、３と公衆網交換機６を介して通信することも可能となり、複数の通信経路が形成可能となる。
【０００９】
しかし専用回線と公衆回線とでは、通信コスト（通信料金）が異なるのが一般的であり、上述した複数の通信経路をどう選択するかによって、トータルの通信費用が変動することとなり、送信先によって、どの通信経路を選択するかを管理したり、確認する必要があった。
【００１０】
そこで、特開平５−１１４９５５号公報では、上述した通信システムにおいて、専用回線を効率的に利用し、通信費用を削減する技術が提案されている。即ち同公報においては、例えば図１０に示す通信システムにおいて、ＦＡＸＣ（ＦＡＸ１０）がＢ事業所に近い場合、Ａ事業所からＦＡＸＣ（ＦＡＸ１０）に送信を行う際には、まず通信データは専用回線１を用いて一旦Ｂ事業所まで送信され、その後、公衆回線３を介してＢ事業所からＦＡＸＣ（ＦＡＸ１０）まで送信されることにより、公衆回線の利用量を削減させ、公衆回線の使用量を削減することができる通信回線方法及び通信回線交換機が開示されている。
【００１１】
上述のような通信を行う場合には、ユーザは上述した特網番に加えて、他の事業所を介して公衆回線に接続することを示す番号（中継番号）をＦＡＸＣ（ＦＡＸ１０）のファクシミリ番号の前につけて構成される通信番号を使用する。例えば、中継番号が「９９９」であれば、通信番号は「８−９９９−△△−○○○○−××××」となる。
【００１２】
また、この公衆のシステムでは、構内交換機４・５が、通信番号を解読し、専用回線或いは公衆回線の何れかを用いるべきかを判断し、回線を自動的に選択することもできるようになっている。
【００１３】
このように、企業内の専用回線と企業外の公衆回線というように、通信回線が多様化していることから、昨今、複数の回線を接続可能なファクシミリ装置が利用されてきており、このようなファクシミリ装置においては、２つの公衆回線を接続することもできるし、また専用回線と公衆回線とを１つずつ接続することも可能である。
【００１４】
また限られた設置スペースの問題から、省スペース化を図るために、単体のファクシミリ装置、或いはスタンドアローン型の主にアナログ複写機に代わって、単一の装置に画像形成機能と通信機能、場合によってはプリンタ機能等の複数の機能を統合した所謂デジタル複合機が普及してきている。またデジタル複合機のファクシミリ機能においても、前述のように複数の回線を接続可能なものも周知である。
【００１５】
図１１は、図１０にて前述した通信システムにおいて、Ａ事業所に前述のデジタル複合機１１を設置し、当該デジタル複合機１１に構内交換機４傘下の専用回線４ａとＦＡＸＡ１（ＦＡＸ７ａ）、公衆回線２ｂとＦＡＸＡ２（ＦＡＸ７ｂ）とが夫々接続された状態を示したものである。
【００１６】
このようなシステムにおいて、デジタル複写機１１とＦＡＸＣ（ＦＡＸ１０）との通信を行うためには以下の３通りの方法が考えられる。
【００１７】
１．公衆回線２ｂに接続されているＦＡＸＡ２（ＦＡＸ７ｂ）から直接送信する。この場合、通信番号は、ＦＡＸＣ（ＦＡＸ１０）のファクシミリ番号「△△−○○○○−××××」となる。
２．専用回線４ａに接続されているＦＡＸＡ１（ＦＡＸ７ａ）から、Ａ事業所の交換機４及び公衆回線２ａを介して送信する。この場合、通信番号は、外線特番「０」を含む「０−△△−○○○○−××××」となる。
３．ＦＡＸＡ１（ＦＡＸ７ａ）からＡ事業所の交換機４、専用回線１、Ｂ事業所の交換機５、及び公衆回線３を介して送信する。この場合、通信番号は、網番号「８」、及び中継番号「９９９」を含む「８−９９９−△△−○○○○−××××」となる。
また、通常、上述したデジタル複合機では、図１に示すように、予め登録されている通信番号を表わすタッチパネル（選択キー）１０５ａ〜１０５ｄ等が、操作タッチパネル１０４上に表示されるようになっており、ユーザが所望の通信番号に対応した選択キーを選択することにより、回線の種類及び送信先を決定するようになっている。
【００１８】
【発明が解決しようとする課題】
従来のデジタル複合機においては、使用する回線に応じて、単一の送信先に対して、例えば公衆回線、専用回線とからなる複数の通信番号が存在する（上述した例では３通り）ので、所定の送信先に対して通信番号を登録してファクシミリ送信を行う場合に、以下の（ａ）〜（ｂ）に示す４つの問題が生じる。
【００１９】
（ａ）所定の送信先に対して、複数の送信番号を登録し、操作タッチパネル１０４上に表示する必要が生じるので、同一の送信先に対し複数の選択キーがあり、紛らわしくなり、誤った選択キーを選択してしまうというように、操作性が著しく低下する。
【００２０】
（ｂ）同一の送信先に対して複数の選択キーが対応することとなるので、表示できる選択キーの数よりも送信先の数は実質的に少なくなり、登録できない送信先が生じたり、登録できたとしても送信先を全て表示できない場合や表示が小さくなる場合が生じる。
【００２１】
（ｃ）同一の送信先に対して複数の選択キーが対応することとなるので、送信先の数よりも多くの通信番号を登録する必要があり、実質的な送信先の数は減っているのに、登録作業に手間がかかる。
【００２２】
（ｄ）同一の送信先に対して複数の選択キーが対応することとなるので、装置の記憶容量の問題から、登録できる送信先の数が実質的に減ってしまうか又は容量の大きい記憶手段が必要となる。
【００２３】
一方、上述した特開平５−１１４９５５号公報に記載の技術によれば、通信システムにおいて、発信局から最終着信先までの距離が長いときに、一般公衆回線に代えて、最寄りの中継局までは専用回線を用いることで、専用回線を効率的に利用し、通信費用を削減することができるという点で有効である。
【００２４】
しかしながら、例えば専用回線が混雑している場合や専用回線に問題が生じたりして専用回線の使用が困難な場合には、公衆回線を敢えて選択する場合も予想され、専用回線と公衆回線を必要に応じて選択できるシステムが望ましいが、従来技術においては上述した発信側の操作性の低下、送信先の表示、登録作業、登録先の数等を含めこれら種々の問題を解決できるには至っていない。
【００２５】
本発明は上述した従来技術の問題点を解決するために提案されたものであり、その目的とするところは、複数の通信回線を接続可能な画像情報伝送装置において、複数の通信回線を必要に応じて選択でき、発信側の操作性の低下を防止しながら、送信先の確認がしやすく、登録作業、登録先の数等の問題を招来しない画像情報伝送装置、又は画像情報伝送機能を備えた装置を提供することにある。
【００２６】
【課題を解決するための手段】
請求項１に記載の発明は、複数の通信回線を介して画像情報を送信可能な通信手段と、
複数の送信先のそれぞれについて、前記複数の通信回線を介してそれぞれ通信する際に使用する複数の送信先情報をそれぞれ対応させて記憶するとともに、送信する画像情報を記憶する記憶手段と、
使用者が前記複数の通信回線から送信する通信回線を選択するための第１選択手段と、
使用者が前記複数の送信先から送信先を選択するための第２選択手段とを備え、
前記第１選択手段により選択された通信回線と、前記第２選択手段により選択された送信先の送信先情報とを使用して、前記記憶手段に記憶された前記画像情報を送信可能な画像情報伝送装置において、
使用者が上記第１選択手段により通信回線を選択した後、上記第２選択手段により送信先を選択する際、上記第１選択手段で選択された通信回線に対応する送信先情報に応じた選択情報と、上記第１選択手段で選択されない通信回線に対応する送信先情報に応じた選択情報とをそれぞれ異なる表示態様で表示する表示手段を備え、
選択されない通信回線に対応する送信先情報が選択されたときは、選択操作に誤りがある旨の報知または再度選択を促す旨の報知を行うことを特徴とする画像情報伝送装置である。
【００２７】
請求項２に記載の発明は、画像情報を送信する画像情報伝送装置１１と、公衆網交換機と、画像情報伝送装置１１に接続される第１構内交換機４と、第１構内交換機４に接続される他の構内交換機５と、画像情報伝送装置１１と公衆網交換機とを接続する第１公衆回線２ｂと、画像情報伝送装置１１と第１構内交換機４とを接続する第１専用回線４ａと、第１構内交換機４と公衆網交換機とを接続する第２公衆回線２ａと、第１構内交換機４と他の構内交換機５とを接続する第２専用回線１と、他の構内交換機５と公衆網交換機とを接続する第３公衆回線３とを含むシステムに用いられる前記画像情報伝送装置であって、
第１公衆回線２ｂおよび第１専用回線４ａを介して画像情報を送信可能な通信手段と、
複数の送信先ごとの前記第１公衆回線２ｂによる通信に使用する通信番号と、前記通信番号を構成する局番情報のうち前記他の構内交換機５が設置されている地域を示す特別局番情報と、送信する画像情報とをそれぞれ記憶する記憶手段と、
使用者が前記第１公衆回線２ｂまたは前記第１専用回線４ａから送信する通信回線を選択するための第１選択手段と、
使用者が前記複数の送信先から送信先を選択するための第２選択手段とを備え、
上記第１選択手段により第１公衆回線２ｂが選択された場合は、上記第２選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、
上記第１選択手段により第１専用回線４ａが選択された場合は、
上記第２選択手段により選択された送信先の通信番号中の局番情報が前記特別局番情報と一致しないときは、第２公衆回線２ａを使用して公衆網交換機に接続することを示す外線特番を選択された送信先の通信番号の前に付加して、第１専用回線４ａ、第１構内交換機４および第２公衆回線２ａを介して画像情報が送信先に送信されるように指令する送信先情報を作成して、その送信先情報を第１専用回線４ａに送出した後、前記記憶手段に記憶されている画像情報を第１専用回線４ａに送信し、
上記第２選択手段により選択された送信先の通信番号中の局番情報が前記特別局番情報と一致したときは、第２専用回線１を使用することを示す網番号と、一致した特別局番情報に対応する地域に設置されている他の構内交換機５を介して公衆網交換機に接続することを示す中継番号とを、選択された送信先の通信番号の前に付加して、第１専用回線４ａ、第１構内交換機４、第２専用回線１、他の交換機５および第３公衆回線３を介して画像情報が送信先に送信されるように指令する送信先情報を作成して、その送信先情報を第１専用回線４ａに送出した後、前記記憶手段に記憶されている画像情報を第１専用回線４ａに送信することを特徴とする画像情報伝送装置である。
【００２８】
請求項３に記載に発明は、通信料金の異なる複数の通信回線を介して画像情報を送信可能な通信手段と、
複数の送信先のそれぞれについて、前記複数の通信回線を介してそれぞれ通信する際に使用する複数の送信先情報をそれぞれ対応させて記憶するとともに、前記複数の通信回線毎の通信料金情報と、送信する画像情報とをそれぞれ記憶する記憶手段と、
使用者が前記複数の送信先から送信先を選択するための第１選択手段とを備え、
前記第１選択手段により選択された送信先の送信先情報に基づき、前記記憶手段に記憶された画像情報を送信可能な画像情報伝送装置において、
上記第１選択手段で選択された送信先の送信先情報に基づき、上記複数の通信回線毎の通信経路を抽出する通信経路抽出手段と、
上記記憶手段に記憶された上記通信料金情報から前記通信経路抽出手段で抽出された前記通信経路毎の通信料金を算出する通信料金算出手段と、
上記通信料金算出手段により算出された通信経路毎の通信料金を表示する表示手段と、
使用者が前記複数の通信経路から送信する通信経路を選択するための第２選択手段と、
上記第２選択手段で選択された通信経路に基づき、使用する通信回線と通信経路を決定する通信回線決定手段とを備え、
前記通信回線決定手段で決定された通信回線と通信経路、及び上記第１選択手段で選択された送信先情報に基づき、上記記憶手段に記憶されている画像情報を送信可能なことを特徴とする画像情報伝送装置である。
【００２９】
請求項４に記載の発明は、上記通信手段は、専用回線内の構内交換機を介して公衆回線内の送信先に送信可能であり、
上記通信経路抽出手段の抽出する通信経路には、上記第１選択手段で選択された送信先の送信先情報に基づき、専用回線内の構内交換機を介して公衆回線内の送信先へ送信する中継通信の経路を含み、
上記通信料金算出手段は、前記中継通信の通信料金を算出することを特徴とする。
請求項５に記載の発明は、画像情報を送信する画像情報伝送装置１１と、公衆網交換機と、画像情報伝送装置１１に接続される第１構内交換機４と、第１構内交換機４に接続される他の構内交換機５と、画像情報伝送装置１１と公衆網交換機とを接続する第１公衆回線２ｂと、画像情報伝送装置１１と第１構内交換機４とを接続する第１専用回線４ａと、第１構内交換機４と公衆網交換機とを接続する第２公衆回線２ａと、第１構内交換機４と他の構内交換機５とを接続する第２専用回線１と、他の構内交換機５と公衆網交換機とを接続する第３公衆回線３とを含むシステムに用いられる前記画像情報伝送装置であって、
第１公衆回線２ｂおよび第１専用回線４ａを介して画像情報を送信可能な通信手段と、
複数の送信先ごとの前記第１公衆回線２ｂによる通信に使用する通信番号と、前記通信番号を構成する局番情報のうち前記他の構内交換機５が設置されている地域を示す特別局番情報と、送信する画像情報とをそれぞれ記憶する記憶手段と、
使用者が前記第１公衆回線２ｂまたは前記第１専用回線４ａから送信する通信回線を選択するための第１選択手段と、
使用者が前記複数の送信先から送信先を選択するための第２選択手段とを備え、
上記第２選択手段により選択された送信先の通信番号中の局番情報が前記特別局番情報と一致しないときは、上記第２選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、
上記第２選択手段により選択された送信先の通信番号中の局番情報が前記特別局番情報と一致したときは、画像情報を送出すべき通信回線を第１選択手段によって使用者に選択させ、
上記第１選択手段により第１公衆回線２ｂが選択された場合は、上記第２選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、
上記第１選択手段により第１専用回線４ａが選択された場合は、第２専用回線１を使用することを示す網番号と、一致した特別局番情報に対応する地域に設置されている他の構内交換機５を介して公衆網交換機に接続することを示す中継番号とを、選択された送信先の通信番号の前に付加して、第１専用回線４ａ、第１構内交換機４、第２専用回線１、他の交換機５および第３公衆回線３を介して画像情報が送信先に送信されるように指令する送信先情報を作成して、その送信先情報を第１専用回線４ａに送出した後、前記記憶手段に記憶されている画像情報を第１専用回線４ａに送信することを特徴とする画像情報伝送装置である。
請求項６に記載の発明は、画像情報を送信する画像情報伝送装置１１と、公衆網交換機と、画像情報伝送装置１１に接続される第１構内交換機４と、第１構内交換機４に接続される他の構内交換機５と、画像情報伝送装置１１と公衆網交換機とを接続する第１公衆回線２ｂと、画像情報伝送装置１１と第１構内交換機４とを接続する第１専用回線４ａと、第１構内交換機４と公衆網交換機とを接続する第２公衆回線２ａと、第１構内交換機４と他の構内交換機５とを接続する第２専用回線１と、他の構内交換機５と公衆網交換機とを接続する第３公衆回線３とを含むシステムに用いられる前記画像情報伝送装置であって、
第１公衆回線２ｂおよび第１専用回線４ａを介して画像情報を送信可能な通信手段と、
複数の送信先ごとの前記第１公衆回線２ｂによる通信に使用する通信番号と、前記通信番号を構成する局番情報のうち前記他の構内交換機５が設置されている地域を示す特別局番情報と、送信する画像情報とをそれぞれ記憶する記憶手段と、
使用者が前記複数の送信先から送信先を選択するための選択手段とを備え、
上記選択手段により選択された送信先の通信番号中の局番情報が前記特別局番情報と一致しないときは、上記選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、
上記選択手段により選択された送信先の通信番号中の局番情報が前記特別局番情報と一致したときは、第２専用回線１を使用することを示す網番号と、一致した特別局番情報に対応する地域に設置されている他の構内交換機５を介して公衆網交換機に接続することを示す中継番号とを、選択された送信先の通信番号の前に付加して、第１専用回線４ａ、第１構内交換機４、第２専用回線１、他の交換機５および第３公衆回線３を介して画像情報が送信先に送信されるように指令する送信先情報を作成して、その送信先情報を第１専用回線４ａに送出した後、前記記憶手段に記憶されている画像情報を第１専用回線４ａに送信することを特徴とする画像情報伝送装置である。
【００３１】
【発明の実施の形態】
（本発明の第１の実施形態）
本発明の第１の実施形態について以下に説明を行う。
本実施形態に係るデジタル複合機１１は、前述した図１１で示したシステムに用いられるものであり、専用回線が接続されたＦＡＸＡ１（ＦＡＸ７ａ）と、公衆回線の接続されたＦＡＸＡ２（ＦＡＸ７ｂ）とを備えている。
【００３２】
尚、本実施形態では、デジタル複合機１１にファクシミリ機能を搭載した場合について説明を行うが、本発明はこれに限定されるものではなく、複数回線に接続可能な画像情報伝送機能と、画像情報伝送機能に係る送信先を指定するための操作部、表示部を備えた装置全般に適用可能なことはいうまでもない。
【００３３】
また、上記画像情報伝送機能と操作部、表示部は一体的に構成されている必要はなく、例えば情報処理装置としてパソコンと、原稿読取部を構成する外部スキャナ部、ファクシミリ機能を有するデータファックスモデムカード、キーボード、ＣＲＴからなる情報処理システムでもよいし、単独でファクシミリ装置を構成していてもよい。
【００３４】
まず、デジタル複写機１１の構成について説明すると、図２はデジタル複合機１１を構成している各種ユニット部、画像処理部などの全体ブロック構成を表わしたものであり、図面略中央に位置するメイン中央演算処理装置（ＣＰＵ）４０１により各ユニット部毎に搭載されたサブ中央演算処理装置（ＣＰＵ）と連携を取りながら動作管理している状態を示している。
【００３５】
大きくは、図面略右上に位置する操作パネル１０３を管理制御するオペレーションパネルボード１００と、図面略左上に位置するデジタル複合機３０を構成する各ユニットを管理制御するマシンコントロールボード２００と、図面略左下に位置し原稿画像を電気的に読み取り電子データとするためのＣＣＤボード３００と、図面略中央に位置し前記ＣＣＤボード３００にて電子データ化された原稿画像に対して所定の画像処理を施すメイン画像処理ボード４００と、このメイン画像処理ボード４００にて処理された画像情報に対してさらに所定の画像処理を施すサブ画像処理ボード５００と、さらに図面略右下に位置する前記サブ画像処理ボード５００にインターフェイスを介して接続されたその他の拡張ボード群６００（プリンタボード６０１、機能拡張ボード６０２、ＦＡＸ第１回線ボード６０３、ＦＡＸ第２回線ボード６０４）などから構成されている。以下、各ボード毎に管理制御している内容について説明する。
【００３６】
（オペレーションパネルボード）
オペレーションパネルボード１００は、基本的にサブＣＰＵ１０１により制御されており、操作パネル１０３上に配置されたＬＣＤ表示部１０４の表示画面、各種モードに関する指示を入力する操作キー群１０５から操作入力などを管理している。本実施形態では、表示画面上でユーザの入力を受け付けるタッチパネルを備えている。そして、操作キー群１０５から入力されたデータ、ＬＣＤ画面１０４に表示させる情報など操作パネル１０３における各種制御情報を記憶しておくメモリ１０２、６０３ｂが設けられている。
【００３７】
この構成において、サブＣＰＵ１０１は、メインＣＰＵ４０１との間で制御データ通信を行い、デジタル複合機１１の動作指示を行う。また、メインＣＰＵ４０１からは、デジタル複合機１１の動作状態を示す制御信号をサブＣＰＵ１０１へ転送することで、操作パネル１０３のＬＣＤ画面１０４を通して装置が現在どのような状態にあるのかを操作者に認識させるよう動作状態を表示させるようになっている。
【００３８】
図１はそのときの表示形態の一実施形態を表わしたもので、ＬＣＤ表示部１０４には、例えば各送信先毎に専用回線と公衆回線それぞれでタッチパネル（選択キー）が表示されており、ＡＡＡ証券に対して専用回線により送信動作を行うためのタッチパネル１０５ａ、ＡＡＡ証券に対して公衆回線により送信動作を行うためのタッチパネル１０５ｂ、（株）あいうに対し専用回線により送信を行うタッチパネル１０５ｃ、（株）あいうに対して公衆回線により送信を行うタッチパネル１０５ｄ等が表示されており、ユーザがタッチパネル上をタッチ（押下）することで、送信先がそれぞれ専用回線と公衆回線毎で選択可能な状態となっている。
【００３９】
（マシンコントロールボード）
マシンコントロールボード２００は、サブＣＰＵ２０１により全体が制御されており、ＡＤＦ・ＲＡＤＦなどの自動原稿送り装置２０３、原稿画像を読み取る読取スキャナ部２０４、画像情報を画像として再現するプロセス部２０５、画像が記録される用紙を収納部からプロセス部に向かって順次搬送する給紙搬送部２０６、画像が記録された用紙を反転させて用紙の両面に画像が形成されるように用紙を反転搬送する両面ユニット２０７、画像が記録された用紙に対してステープルなどの後処理を行うフィニッシャ２０８などを管理している。
【００４０】
（ＣＣＤボード）
ＣＣＤボード３００は、原稿画像を電気的に読み取るためのＣＣＤ３０１、ＣＣＤ３０１を駆動する回路（ＣＣＤゲートアレイ）３０２、ＣＣＤ３０１から出力されるアナログデータのゲイン調整などを行うアナログ回路３０３、ＣＣＤ３０１からのアナログ出力をデジタル信号に変換して電子データとして出力するＡ／Ｄ変換器３０４などから構成され、制御管理はメインＣＰＵ４０１により行なわれている。
【００４１】
（メイン画像処理ボード）
メイン画像処理ボード４００は、メインＣＰＵ４０１により制御され、ＣＣＤボード３００から送られてきた原稿画像の電子データをもとに、画像の階調性を所望の状態で表現できるように、シェーディング補正、濃度補正、領域分離、フィルタ処理、ＭＴＦ補正、解像度変換、電子ズーム（変倍処理），ガンマ補正など多値の画像データの状態のまま処理を施す多値画像処理部４０２、処理が施された画像データ或いは処理の手順管理など各種制御情報を記憶させておくメモリ４０３、処理が施された画像情報でもって画図を再現するためにレーザ書込ユニット（ＬＳＵ）４６側へとデータを転送制御するレーザコントロール４０４から構成される。
【００４２】
（サブ画像処理ボード）
サブ画像処理ボード５００は、メイン画像処理ボード４００と該メイン画像処理ボード側のコネクタ４０５とサブ画像処理ボード５００側のコネクタ５０５とコネクタ接続され、メイン画像処理ボード４００上のメインＣＰＵ４０１により制御された２値画像処理部５０１、画像処理の施された２値画像情報、或いは処理上での制御情報などを記憶管理するメモリ及びメモリを制御するゲートアレイ５０２、複数枚の原稿画像情報を記憶しておき、複数枚の原稿画像を繰り返し所望部数分だけ読み出して複数の複写物を生成するためのハードディスク及びハードディスクを制御するゲートアレイ５０３、外部インターフェイスとしてのＳＣＣＩ（Ｓｍａｌｌ  Ｃｏｍｐｕｔｅｒ  Ｓｙｓｔｅｍ  Ｉｎｔｅｒｆａｃｅ）及びＳＣＳＩを制御するゲートアレイ５０４などから制御されている。
【００４３】
また前述の２値画像処理部５０１は、多値画像情報を２値画像に変換する処理部、画像を回転させる処理部、２値画像の変倍処理を行う２値変倍（ズーム）処理部などから構成され、さらにファックス画像が通信手段を介して送受信することができるように、ファックスインターフェイスを備えている。
【００４４】
（拡張ボード）
拡張ボード６００としては、パーソナルコンピュータなどの他の情報処理装置から送られてくるデータをデジタル複合機１１のプリンタ部からプリンタモードとして出力可能とするためのプリンタボード６０１、デジタル複合機の編集機能を拡張してデジタル複合機１１の特徴を有効活用する機能拡張ボード６０２、デジタル複合機１１のスキャナ部２０４から読込んだ原稿画像を相手先に送信したり、相手先から送信された画像情報をデジタル複合機１１のプリンタ部から出力することを可能にするファクシミリボード６０３、６０４等がある。本実施形態では、ファクシミリボードとして、ＦＡＸ第１回線ボード６０３とＦＡＸ第２回線ボード６０４の２つが接続されており、これらは図１１でいうＦＡＸＡ１（ＦＡＸ７ａ）、ＦＡＸＡ２（ＦＡＸ７ｂ）に相当する。
【００４５】
メモリ６０３ｂは、ファクシミリ通信を行うための通信番号を記憶・登録するものであり、当該記憶部には、１つの送信先に対して、専用回線及び公衆回線の夫々に対して合計２つの通信番号が登録される。即ち後述するように、制御部（ＣＰＵ６０３ａ、６０４ｂ、４０１、１０１等で制御される）は、通信データの送信の際に、データ入力部（ＡＤＦ／ＲＡＤＦ２０３、読取スキャナ部２０４、ＣＣＤボード３００等で入力される）を制御して通信データを読込ませると共に、記憶部に登録されている通信番号に応じた選択キーをタッチパネル１０５ｂに一覧表示させる。そしてタッチパネル１０５ｂによってユーザが指定した通信番号に従って、ＦＡＸＡ１或いはＦＡＸＡ２を制御して、外部に通信データを送信させるように構成されている。
【００４６】
次にデジタル複合機１１のファクシミリ通信動作について説明する。
図３は、デジタル複合機１１における通信データの送信動作を示すフローチャートであり、ユーザによってファクシミリ通信用のモードが選択され、送信動作が開始されると、制御部は、タッチパネルを制御して、回線の種類をユーザが選択できるように、所定の回線選択画面を表示させる。
【００４７】
図４は、タッチパネルによる回線選択用画面の一表示形態を示す説明図であり、ユーザは、ＬＣＤ表示部１０４に表示されている専用回線用のタッチパネル１０５ｅと、公衆回線用のタッチパネル１０５ｆの何れかに触れる（押下）ことにより、回線の種類を選択するように構成されている。
【００４８】
ユーザにより回線の種類が選択されると（ステップ１、以降、Ｓ１というように略す）、制御部は、選択された回線の種類に応じて、記憶部１０２、及びタッチパネル部を制御して、通信先に対応した選択キーの一覧表を表示させる。
即ち、Ｓ１においてユーザがタッチパネル１０５ｅにより専用回線を選択した場合、タッチパネル部は図５に示すように、専用回線用の通信番号に応じた選択キー１０５ａ、１０５ｃの表示を明るくすると共に、公衆回線用の通信番号に応じた選択キー１０５ｂ、１０５ｄの表示を暗くするようになっている（Ｓ２）。尚、ここでは表示の明暗で区別する実施形態を説明しているが、表示色、模様等により識別できるように構成してもよい。
【００４９】
一方、Ｓ１においてユーザが公衆回線を選択した場合（図４でタッチパネル１０５ｆを押下した場合）、公衆回線用の通信番号に応じた選択キー（１０５ｂ、１０５ｄ）の表示を明るくすると共に、専用回線用の通信番号に応じた選択キー（１０５ａ、１０５ｃ）の表示を暗くするようになっている（Ｓ５）。
【００５０】
次いで、このような選択キー（１０５ａ〜１０５ｄ）により、ユーザが送信先を指定すると（Ｓ３、Ｓ６）、制御部は、データ入出力部である読取スキャナ部２０４、ＣＣＤボード３００、ＡＤＦ／ＲＡＤＦ部２０３、ハードディスク５０３等を介して通信データを読込ませると共に、ＦＡＸＡ１（ＦＡＸ第１回線ボード６０３）或いはＦＡＸＡ２（ＦＡＸ第２回線ボード６０４）を制御して、指定された送信先に対して通信データを送信させ（Ｓ４、Ｓ７）、送信処理を終了させる。
【００５１】
このように、デジタル複合機１１では、選択された回線に応じた通信番号の選択キーだけを明るく表示させる等により、選択キーの区別を容易とし、通信番号の指定動作における誤操作を防止でき、操作性を大幅に向上させることができる。尚、選択キーとしてタッチパネルを使用しないときは、選択キー近傍に操作可能であるかどうかを示すＬＥＤ等を設け、区別するためにＬＥＤを点燈させたり、点滅させる等の動作を行って識別可能としてもよい。
【００５２】
また、Ｓ３とＳ６の処理において、Ｓ１で選択されていない方の回線における通信番号が指定された場合に、その指定を無効としたり、選択操作に誤りがある旨の報知（表示、警告音等）を行わせるようにしたり、再度選択を促す旨の報知を行うように構成してもよく、この場合、ユーザが容易に誤操作を認識することができ、作業性をさらに向上できる。
【００５３】
また、上記実施形態では、Ｓ２とＳ５の処理において、選択された回線の種類に応じて選択キーに明暗をつけるように記載しているが、これに限らず、図６に示すように、選択された回線の通信番号に応じた選択キーだけを表示するように構成してもよい（例えば専用回線が選択された場合に、１０５ａ〜１０５ｄのうち、１０５ａと１０５ｃのみ表示し、１０５ｂと１０５ｄは表示させない）。
【００５４】
但し、この場合には、画面上で回線の種類を表わす文字やアイコン等の表示１０５ｇを行い、回線の種類を表示させておくことで、回線選択時（図４）に誤って選択してしまい、気づかずにそのまま送信してしまうという誤操作を防止することができる。また、表示１０５ｇに触れることで、他方の回線での表示に切換るように構成してもよい。
【００５５】
（本発明の第２の実施形態）
本実施形態では、デジタル複合機１１における他の送信処理動作について説明を行う。
上述した第１実施形態では、１つの送信先に対して、専用回線及び公衆回線のそれぞれに応じた２種類の通信番号が記憶部に登録されており、ユーザが使用する通信番号を指定するように構成されていたが、これに対し本実施形態では、記憶部１０２、４０３、５０２、６０３ｂ等に公衆回線に応じた通信番号のみが登録されており、専用回線による送信を行う場合には、制御部が、公衆回線に応じた通信番号（ＦＡＸ番号）に基づいて専用回線に応じた通信番号を作成し、この通信番号を利用して送信するようになっている。
【００５６】
図７は、図１１で示したシステムにおいて、Ａ事業所から公衆回線内の送信先（例えばＦＡＸＣ）にデータを送信する場合のデジタル複合機の動作を説明するためのフローチャートである。
本実施形態では、まずユーザがタッチパネルを用いて、回線の種類と送信先を選択し（Ｓ１１、Ｓ１２）、制御部が選択された回線の種類を判断する（Ｓ１３）。
【００５７】
そして、公衆回線が選択されたと判断した場合には、制御部は、データ入出力部を制御して通信データを読込ませると共に、選択された送信先のＦＡＸ番号に基づいて、ＦＡＸＡ２を用いて公衆回線２ｂを介して送信を行い（Ｓ１４）、処理を終了する。
一方、専用回線が選択されたと判断した場合、制御部は、選択された送信先のＦＡＸ番号における局番が、予めメモリ１０２等の記憶部に登録されている特別局番と一致するか否かを判断する（Ｓ１５）。
【００５８】
この特別局番とは、以下のようなものである。即ち、公衆回線よりも専用回線の方が一般的に通信コストが安くなることから、公衆回線内の送信先が、システム内の他の事業所から近い場合、Ａ事業所から直接ＦＡＸＣに送信するよりも、他の事業所を介して送信した方が通信コストが安くなる。
【００５９】
従って、デジタル複合機では、システム内の他の事業所の近辺における局番を特別局番として登録しておき、ＦＡＸ番号の局番が特別局番と一致した場合、他の事業所を介した送信を行うようになっている。
【００６０】
尚、本実施形態では、通信料金の安い通信経路を抽出する形態を説明するが、例えば料金だけでなく、通信品位の低い経路（通信エラーが多い、ビジー状態が多い）を避けて、比較的安定した通信経路を抽出するように構成しても良く、この場合、通信料金が安い通信経路に通信が集中し、通信に不具合が生じることを未然に防止できる効果が期待できる。
【００６１】
さて、Ｓ１５において、送信先のＦＡＸ番号における局番が、特別局番と一致しないと判断した場合、制御部は、公衆回線を使用することを示す外線特番を送信先の送信番号の前に付加することにより、送信先を新たに作成する（Ｓ１６）。例えば、外線特番が「０」、送信先のＦＡＸ番号が「△△−○○○○−××××」であれば、通信番号は、「０−△△−○○○○−××××」となる。
【００６２】
一方、Ｓ１５において、送信先のＦＡＸ番号における局番が、特別局番と一致すると判断した場合、制御部は専用回線を使用することを示す網特番と、他事業所を介して公衆回線に接続することを示す番号（中継番号）とを、送信先のＦＡＸ番号の前に付加することにより通信番号を作成する（Ｓ１７）。例えば、網特番が「８」、中継番号が「９９９」、送信先のＦＡＸ番号が「△△−○○○○−××××」であれば、通信番号は、「８−９９９−△△−○○○○−××××」となる。
【００６３】
その後、制御部は、データ入出力部を制御して通信データを読込ませると共にＳ１６或いはＳ１７で作成した通信番号に基づいて、ＦＡＸＡ１を用いて、構内交換機４を介して送信を行う（Ｓ１８）。
【００６４】
その後、構内交換機４は、通信番号に中継番号が添付されていない場合、通信番号に基づいて、ＦＡＸＡと送信先との接続を図り、一方、中継番号が添付されている場合、構内交換機４は、この通信番号の局番（上記例では△△）に基づいて、送信先に最も近いシステム内の事業所を検索して判断し、その事業所の交換機（例えば構内交換機５）を介して、ＦＡＸＡと送信先との接続を行う。
【００６５】
以上のように、デジタル複合機によれば、制御部が、送信先のＦＡＸ番号に基づいて、構内交換機を介して行う通信のための２種類の番号を自動的に作成することができる。従って、記憶部に送信先の数よりも多くの通信番号を登録する必要がないため、登録作業の手間を省くことができ、記憶部に登録可能な送信先の数を増加させることができる。
【００６６】
さらに、送信先の数より多くの通信番号が操作タッチパネル上に表示されることがないので、タッチパネル上の表示では、各送信先に応じて選択キーが１つだけ設定されることとなり、タッチパネル上に一度に表示される送信先の数を増加させることができ、通信番号指定の際に、ユーザが選択ミスをするといった問題を回避できる。
【００６７】
尚、上述した実施形態では、ユーザは専用回線を選択した場合であって、送信先のＦＡＸ番号の局番が特別局番と一致しなかった場合、制御部は、ＦＡＸ番号に外線特番を付加された通信番号により、構内交換機を用いて送信を行うように構成している。
【００６８】
しかしながら、本発明はこれに限らず、送信先のＦＡＸ番号の局番が特別局番と一致しなかった場合には、制御部が、公衆回線に接続されたＦＡＸＡ２を用いて、構内交換機４を通さずに送信を行うように構成してもよい。
【００６９】
図８は、このような送信を行う際の、デジタル複合機１１の動作を示すフローチャートであり、まずユーザがタッチパネルを用いて送信先を選択し（Ｓ２１）、制御部が、選択された送信先のＦＡＸ番号における局番が、予め記憶部に登録されている特別局番と一致するか否かを判断する（Ｓ２２）。
【００７０】
Ｓ２２において、送信先のＦＡＸ番号における局番が、特別局番と一致しないと判断した場合、制御部は、データ入出力部を制御して通信データを読込ませると共に、選択された送信先のＦＡＸ番号に基づいて、ＦＡＸＡ２を用いて公衆回線を介して送信を行う（Ｓ２７）、処理を終了する。
【００７１】
一方、Ｓ２２において、送信先のＦＡＸ番号における局番が、特別局番と一致すると判断した場合、制御部は、使用すべき回線をユーザが選択できるように、タッチパネルを制御して、図９に示すような回線選択画面を表示させる。
この図９に示すように、画面１０４には、専用回線を使用した場合の料金／分と、公衆回線を利用した場合の料金／分とを表示し、ユーザに対して、専用回線を利用した際のコスト低減効果を告知するようにしてもよい。
【００７２】
次いで、ユーザが所望の回線を選択すると（Ｓ２３）、制御部は、選択された回線の種類を判断する（Ｓ２４）。公衆回線が選択されたと判断した場合、制御部は、データ入出力部を制御して通信データを読込ませると共に、選択された送信先のＦＡＸ番号に基づいて、ＦＡＸＡ２を用いた公衆回線２ｂ経由の送信を行い（Ｓ２７）、処理を終了する。
【００７３】
一方、Ｓ１３において、専用回線が選択されたと判断した場合、制御部は、上述した網特番及び中継番号とを、送信先のＦＡＸ番号の前に付加することにより通信番号を作成する（Ｓ２５）。例えば、網特番が「８」、中継番号が「９９９」、送信先のＦＡＸ番号が「△△−○○○○−××××」であれば、通信番号は、「８−９９９−△△−○○○○−××××」となる。
【００７４】
その後、制御部は、データ入出力部を制御して通信データを読込ませると共に、Ｓ２５で作成した通信番号に基づいて、ＦＡＸＡ１を用いて、他の事業所を介して送信を行い（Ｓ２６）、処理を終了させる。
このように、上述した動作では、送信先のＦＡＸ番号の局番が特別局番と一致しなかった場合、構内交換機を介さずに通信を行うようになっている。
【００７５】
尚、図８で示した処理では、Ｓ２３とＳ２４のステップを行わないようにしてもよい。即ち、Ｓ２２において、局番が特別番号と一致すると判断した場合、制御部は、ユーザの入力を待たずに、専用回線を用いて送信を行うようにしてもよく、この場合、ユーザの手を煩わせることなく、操作性をさらに向上できるという効果がある。
【００７６】
【発明の効果】
請求項１に記載の発明は、複数の通信回線を介して画像情報を送信可能な通信手段と、複数の送信先のそれぞれについて、前記複数の通信回線を介してそれぞれ通信する際に使用する複数の送信先情報をそれぞれ対応させて記憶するとともに、送信する画像情報を記憶する記憶手段と、使用者が前記複数の通信回線から送信する通信回線を選択するための第１選択手段と、使用者が前記複数の送信先から送信先を選択するための第２選択手段とを備え、前記第１選択手段により選択された通信回線と、前記第２選択手段により選択された送信先の送信先情報とを使用して、前記記憶手段に記憶された前記画像情報を送信可能な画像情報伝送装置において、使用者が上記第１選択手段により通信回線を選択した後、上記第２選択手段により送信先を選択する際、上記第１選択手段で選択された通信回線に対応する送信先情報に応じた選択情報と、上記第１選択手段で選択されない通信回線に対応する送信先情報に応じた選択情報とをそれぞれ異なる表示態様で表示する表示手段を備え、選択されない通信回線に対応する送信先情報が選択されたときは、選択操作に誤りがある旨の報知または再度選択を促す旨の報知を行うことを特徴とする画像情報伝送装置である。
【００７７】
したがって請求項１記載の発明によれば、第１選択手段で選択された通信回線に対応する送信先情報に応じた選択情報と、第１選択手段で選択されない通信回線に対応する送信先情報に応じた選択情報とをそれぞれ異なる表示態様で識別可能に表示する表示手段を備えたので、使用者が画像情報を発信する際に、第１選択手段で選択された通信回線に対応する送信先情報のみを簡単に認識することができ、さらに選択されない通信回線に対応する送信先情報が選択されたときは、選択操作に誤りがある旨の報知または再度選択を促す旨の報知を行うので、第１選択手段で選択していない通信回線に対応する送信先情報に基づいて画像情報を送信してしまうという誤操作を防止することができる。
【００８０】
請求項２に記載の発明は、画像情報を送信する画像情報伝送装置１１と、公衆網交換機と、画像情報伝送装置１１に接続される第１構内交換機４と、第１構内交換機４に接続される他の構内交換機５と、画像情報伝送装置１１と公衆網交換機とを接続する第１公衆回線２ｂと、画像情報伝送装置１１と第１構内交換機４とを接続する第１専用回線４ａと、第１構内交換機４と公衆網交換機とを接続する第２公衆回線２ａと、第１構内交換機４と他の構内交換機５とを接続する第２専用回線１と、他の構内交換機５と公衆網交換機とを接続する第３公衆回線３とを含むシステムに用いられる前記画像情報伝送装置であって、第１公衆回線２ｂおよび第１専用回線４ａを介して画像情報を送信可能な通信手段と、複数の送信先ごとの前記第１公衆回線２ｂによる通信に使用する通信番号と、前記通信番号を構成する局番情報のうち前記他の構内交換機５が設置されている地域を示す特別局番情報と、送信する画像情報とをそれぞれ記憶する記憶手段と、使用者が前記第１公衆回線２ｂまたは前記第１専用回線４ａから送信する通信回線を選択するための第１選択手段と、使用者が前記複数の送信先から送信先を選択するための第２選択手段とを備え、上記第１選択手段により第１公衆回線２ｂが選択された場合は、上記第２選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、上記第１選択手段により第１専用回線４ａが選択された場合は、上記第２選択手段により選択された送信先の通信番号中の局番情報が前記特別局番情報と一致しないときは、第２公衆回線２ａを使用して公衆網交換機に接続することを示す外線特番を選択された送信先の通信番号の前に付加して、第１専用回線４ａ、第１構内交換機４および第２公衆回線２ａを介して画像情報が送信先に送信されるように指令する送信先情報を作成して、その送信先情報を第１専用回線４ａに送出した後、前記記憶手段に記憶されている画像情報を第１専用回線４ａに送信し、上記第２選択手段により選択された送信先の通信番号中の局番情報が前記特別局番情報と一致したときは、第２専用回線１を使用することを示す網番号と、一致した特別局番情報に対応する地域に設置されている他の構内交換機５を介して公衆網交換機に接続することを示す中継番号とを、選択された送信先の通信番号の前に付加して、第１専用回線４ａ、第１構内交換機４、第２専用回線１、他の交換機５および第３公衆回線３を介して画像情報が送信先に送信されるように指令する送信先情報を作成して、その送信先情報を第１専用回線４ａに送出した後、前記記憶手段に記憶されている画像情報を第１専用回線４ａに送信することを特徴とする画像情報伝送装置である。
【００８１】
したがって請求項２記載の発明によれば、１つの送信先について公衆回線を使用するときの通信番号を記憶（登録）させておき、使用者が通信回線と送信先とを選択すると、選択された通信回線に応じた送信先情報が作成されて画像情報の送信が行われるので、送信先に関する情報の登録作業の手間が省け登録ミスを防止できる。また、１つの送信先について公衆回線および専用回線を使用するときのそれぞれの送信先情報を記憶させる場合と比べて、同じ記憶容量ならば記憶手段に記憶させる送信先の数を増加させることができ、同じ送信先数ならば記憶容量の小さい記憶手段を採用できる。
【００８２】
また、送信先を選択する際に表示手段に送信先に応じた選択情報を表示させる場合、送信先の数よりも多い数の選択情報が表示されることはなく、送信先選択時における誤操作を防止できる。
【００８３】
請求項３に記載の発明は、通信料金の異なる複数の通信回線を介して画像情報を送信可能な通信手段と、複数の送信先のそれぞれについて、前記複数の通信回線を介してそれぞれ通信する際に使用する複数の送信先情報をそれぞれ対応させて記憶するとともに、前記複数の通信回線毎の通信料金情報と、送信する画像情報とをそれぞれ記憶する記憶手段と、使用者が前記複数の送信先から送信先を選択するための第１選択手段とを備え、前記第１選択手段により選択された送信先の送信先情報に基づき、前記記憶手段に記憶された画像情報を送信可能な画像情報伝送装置において、上記第１選択手段で選択された送信先の送信先情報に基づき、上記複数の通信回線毎の通信経路を抽出する通信経路抽出手段と、上記記憶手段に記憶された上記通信料金情報から前記通信経路抽出手段で抽出された前記通信経路毎の通信料金を算出する通信料金算出手段と、上記通信料金算出手段により算出された通信経路毎の通信料金を表示する表示手段と、使用者が前記複数の通信経路から送信する通信経路を選択するための第２選択手段と、上記第２選択手段で選択された通信経路に基づき、使用する通信回線と通信経路を決定する通信回線決定手段とを備え、前記通信回線決定手段で決定された通信回線と通信経路、及び上記第１選択手段で選択された送信先情報に基づき、上記記憶手段に記憶されている画像情報を送信可能なことを特徴とする画像情報伝送装置である。
【００８４】
したがって請求項３に記載の発明によれば、複数の通信経路を抽出して通信料金を算出した時点で一旦使用者に対し、各通信経路の通信料金が告知されるので、使用者がその時点で所望の通信経路を選択することができる。これによって、通信コストの差がないかまたは非常に少ないときに、通信料金の安い通信回線を用いると、通信でビジーの多い場合や通信エラーの頻発する場合等に、使用者が敢えて２番目やそれ以降に安い通信料金の通信回線を手動で選択することができ、使用者の選択の自由度が向上し、通信料金の安い通信回線に通信が集中して通信が滞るといった問題を回避できる。
【００８５】
また、通信経路毎の通信料金を単に表示するだけでなく、複数の通信経路での通信コスト比較結果を表示するように構成してもよく、この場合、通信コストの低減内容を具体的に使用者が認識できるという効果がある。
【００８６】
請求項４に記載の発明は、請求項３において、上記通信手段は、専用回線内の構内交換機を介して公衆回線内の送信先に送信可能であり、上記通信経路抽出手段の抽出する通信経路には、上記第１選択手段で選択された送信先の送信先情報に基づき、専用回線内の構内交換機を介して公衆回線内の送信先へ送信する中継通信の経路を含み、上記通信料金算出手段は、前記中継通信の通信料金を算出することを特徴とする画像情報伝送装置である。
【００８７】
請求項４に記載の発明によれば、公衆回線だけを使用して送信する場合に比して、専用回線を有効活用しながら、通信コストを大幅に低減することが可能となる。
請求項５記載の発明によれば、画像情報を送信する画像情報伝送装置１１と、公衆網交換機と、画像情報伝送装置１１に接続される第１構内交換機４と、第１構内交換機４に接続される他の構内交換機５と、画像情報伝送装置１１と公衆網交換機とを接続する第１公衆回線２ｂと、画像情報伝送装置１１と第１構内交換機４とを接続する第１専用回線４ａと、第１構内交換機４と公衆網交換機とを接続する第２公衆回線２ａと、第１構内交換機４と他の構内交換機５とを接続する第２専用回線１と、他の構内交換機５と公衆網交換機とを接続する第３公衆回線３とを含むシステムに用いられる前記画像情報伝送装置であって、第１公衆回線２ｂおよび第１専用回線４ａを介して画像情報を送信可能な通信手段と、複数の送信先ごとの前記第１公衆回線２ｂによる通信に使用する通信番号と、前記通信番号を構成する局番情報のうち前記他の構内交換機５が設置されている地域を示す特別局番情報と、送信する画像情報とをそれぞれ記憶する記憶手段と、使用者が前記第１公衆回線２ｂまたは前記第１専用回線４ａから送信する通信回線を選択するための第１選択手段と、使用者が前記複数の送信先から送信先を選択するための第２選択手段とを備え、上記第２選択手段により選択された送信先の通信番号中の局番情報が前記特別局番情報と一致しないときは、上記第２選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、上記第２選択手段により選択された送信先の通信番号中の局番情報が前記特別局番情報と一致したときは、画像情報を送出すべき通信回線を第１選択手段によって使用者に選択させ、上記第１選択手段により第１公衆回線２ｂが選択された場合は、上記第２選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、上記第１選択手段により第１専用回線４ａが選択された場合は、第２専用回線１を使用することを示す網番号と、一致した特別局番情報に対応する地域に設置されている他の構内交換機５を介して公衆網交換機に接続することを示す中継番号とを、選択された送信先の通信番号の前に付加して、第１専用回線４ａ、第１構内交換機４、第２専用回線１、他の交換機５および第３公衆回線３を介して画像情報が送信先に送信されるように指令する送信先情報を作成して、その送信先情報を第１専用回線４ａに送出した後、前記記憶手段に記憶されている画像情報を第１専用回線４ａに送信することを特徴とする画像情報伝送装置である。
したがって請求項５記載の発明によれば、１つの送信先について公衆回線を使用するときの通信番号を記憶（登録）させておき、使用者が通信回線と送信先とを選択すると、選択された通信回線に応じた送信先情報が作成されて画像情報の送信が行われるので、送信先に関する情報の登録作業の手間が省け登録ミスを防止できる。また、１つの送信先について公衆回線および専用回線を使用するときのそれぞれの送信先情報を記憶させる場合と比べて、同じ記憶容量ならば記憶手段に記憶させる送信先の数を増加させることができ、同じ送信先数ならば記憶容量の小さい記憶手段を採用できる。
また、送信先を選択する際に表示手段に送信先に応じた選択情報を表示させる場合、送信先の数よりも多い数の選択情報が表示されることはなく、送信先選択時における誤操作を防止できる。
請求項６記載の発明によれば、画像情報を送信する画像情報伝送装置１１と、公衆網交換機と、画像情報伝送装置１１に接続される第１構内交換機４と、第１構内交換機４に接続される他の構内交換機５と、画像情報伝送装置１１と公衆網交換機とを接続する第１公衆回線２ｂと、画像情報伝送装置１１と第１構内交換機４とを接続する第１専用回線４ａと、第１構内交換機４と公衆網交換機とを接続する第２公衆回線２ａと、第１構内交換機４と他の構内交換機５とを接続する第２専用回線１と、他の構内交換機５と公衆網交換機とを接続する第３公衆回線３とを含むシステムに用いられる前記画像情報伝送装置であって、第１公衆回線２ｂおよび第１専用回線４ａを介して画像情報を送信可能な通信手段と、複数の送信先ごとの前記第１公衆回線２ｂによる通信に使用する通信番号と、前記通信番号を構成する局番情報のうち前記他の構内交換機５が設置されている地域を示す特別局番情報と、送信する画像情報とをそれぞれ記憶する記憶手段と、使用者が前記複数の送信先から送信先を選択するための選択手段とを備え、上記選択手段により選択された送信先の通信番号中の局番情報が前記特別局番情報と一致しないときは、上記選択手段により選択された送信先の通信番号を前記記憶手段から読み出して、第１公衆回線２ｂを介して画像情報が送信先に送信されるように指令する送信先情報を作成して、その送信先情報を第１公衆回線２ｂに送出した後、前記記憶手段に記憶されている画像情報を第１公衆回線２ｂに送信し、上記選択手段により選択された送信先の通信番号中の局番情報が前記特別局番情報と一致したときは、第２専用回線１を使用することを示す網番号と、一致した特別局番情報に対応する地域に設置されている他の構内交換機５を介して公衆網交換機に接続することを示す中継番号とを、選択された送信先の通信番号の前に付加して、第１専用回線４ａ、第１構内交換機４、第２専用回線１、他の交換機５および第３公衆回線３を介して画像情報が送信先に送信されるように指令する送信先情報を作成して、その送信先情報を第１専用回線４ａに送出した後、前記記憶手段に記憶されている画像情報を第１専用回線４ａに送信することを特徴とする画像情報伝送装置である。
したがって請求項６記載の発明によれば、１つの送信先について公衆回線を使用するときの通信番号を記憶（登録）させておき、使用者が送信先を選択すると、選択された送信先に対応する通信回線に応じた送信先情報が作成されて画像情報の送信が行われるので、送信先に関する情報の登録作業の手間が省け登録ミスを防止できる。さらに画像情報送信にあたって、使用者が通信回線を選択する必要がないので、使用者の手を煩わせることなく、操作性を向上することができる。
【図面の簡単な説明】
【図１】本発明の実施形態に係るデジタル複合機のＬＣＤ表示部の表示形態を説明するための図である。
【図２】本発明の実施形態に係るデジタル複合機の全体ブロック図である。
【図３】本発明の実施形態に係るデジタル複合機の動作を説明するためのフローチャートである。
【図４】本発明の実施形態に係るデジタル複合機のＬＣＤ表示部の表示形態を説明するための図である。
【図５】本発明の実施形態に係るデジタル複合機のＬＣＤ表示部の表示形態を説明するための図である。
【図６】本発明の実施形態に係るデジタル複合機のＬＣＤ表示部の表示形態を説明するための図である。
【図７】本発明の他の実施形態に係るデジタル複合機の動作を説明するためのフローチャートである。
【図８】本発明の他の実施形態に係るデジタル複合機の動作を説明するためのフローチャートである。
【図９】本発明の他の実施形態に係るデジタル複合機のＬＣＤ表示部の表示形態を説明するための図である。
【図１０】従来技術に係るファクシミリ送信システムを説明するための図である。
【図１１】従来技術に係る他のファクシミリ送信システムを説明するための図である。
【符号の説明】
１  専用回線
２、３、９  公衆回線
４、５  構内交換機
６  公衆網交換機
７  ＦＡＸＡ
７ａ  ＦＡＸＡ１
７ｂ  ＦＡＸＡ２
８  ＦＡＸＢ
１０  ＦＡＸＣ
１１  デジタル複合機
１０４  ＬＣＤ表示部
１０５  操作キー群
１０５ａ〜１０５ｆ  タッチパネル（選択キー）
６０３  ＦＡＸ第１回線ボード
６０４  ＦＡＸ第２回線ボード
【図１】
0003628896.tif 000002
【図２】
0003628896.tif 000003
【図３】
0003628896.tif 000004
【図４】
0003628896.tif 000005
【図５】
0003628896.tif 000006
【図６】
0003628896.tif 000007
【図７】
0003628896.tif 000008
【図８】
0003628896.tif 000009
【図９】
0003628896.tif 000010
【図１０】
0003628896.tif 000011
【図１１】
0003628896.tif 000012